(57)【特許請求の範囲】
【請求項１】
植毛台に植毛された複数の毛束からなるブラシ部を有する歯ブラシであって、
該ブラシ部を側面から見たときに、毛束の先端を結んだ稜線が、ブラシ部の長手方向の先端部分に配置される小山部と、谷底部を挟んで前記小山部の後方に連続し前記小山部よりもブラシ部の長手方向長さの長い大山部とを含む形状を備え、
前記大山部は、前記小山部との間の谷底部から頂部まで植毛台からの高さが徐々に高く形成され、
前記小山部の頂部の植毛台からの高さが、前記大山部の頂部の植毛台からの高さよりも高く、
前記小山部の頂部と前記大山部の頂部とを結んだ線分の長さが４．３〜９．２ｍｍであり、前記谷底部から前記小山部の頂部と前記大山部の頂部とを結んだ線分に降ろした垂線の長さが０．８〜１．６ｍｍである歯ブラシ。
【請求項２】
前記小山部と前記大山部は、前記谷底部を挟んだ領域において外側に凸の湾曲した形状を備えている請求項１記載の歯ブラシ。
【請求項３】
前記毛束の先端を結んだ稜線が、前記大山部の後方に谷底部を挟んで連続し、前記小山部と略対称形状の後方小山部を含んだ形状を備える請求項１又は２に記載の歯ブラシ。
【請求項４】
前記小山部の頂部の植毛台からの高さが、前記大山部の頂部の植毛台からの高さよりも０．２〜２．０ｍｍ高い請求項１〜３のいずれかに記載の歯ブラシ。
【請求項５】
前記小山部の前記ブラシ部の長手方向長さが、４．３〜４．７ｍｍである請求項１〜４のいずれかに記載の歯ブラシ。
【請求項６】
前記複数の毛束が、ひし形断面ブリッスルを束ねたひし形毛束を含む請求項１〜５のいずれかに記載の歯ブラシ。
【発明の詳細な説明】
【技術分野】
【０００１】
本発明は、歯ブラシに関し、特に複数本のブリッスルを束ねてなる毛束を植毛台に複数植設してブラシ部が形成された歯ブラシに関する。
【背景技術】
【０００２】
歯ブラシは、複数本のブリッスルを束ねてなる毛束を、例えば植毛台に設けられた複数の植毛穴に平線を打ち込んだり、熱で融着させる方法等によって植設固定することにより、複数の毛束からなるブラシ部を形成して得られるものである。また、歯ブラシは、歯面の歯間部と平滑部、歯面の頬側と舌側等の歯の部位や、前歯、奥歯等の歯の種類に応じた適切な刷掃を効率良く行うことができるように、毛束の配置やブラシ部の全体の形状、ブリッスルの形状等に種々の工夫がなされている。
【０００３】
例えば、ブラシ部を側面から見たときに、毛束の先端を結んだ先端線の稜線の形状が、連設する山形や波形となるようにブラシ部を形成して、歯間部や歯の舌側（裏側）の凹状部等、特に奥歯の歯間に対する歯垢除去機能を向上させた歯ブラシが開発されている（例えば、特許文献１、特許文献２参照）。
【特許文献１】実開昭６２−１０２４３１号公報
【特許文献２】特開２００６−１３００１２号公報
【発明の開示】
【発明が解決しようとする課題】
【０００４】
一方、効果的な歯の手入れの仕方として、ブラシ部の先端の毛先を歯面に押し当てながら、小さく細かな振動を与えてブラッシングを行う、スクラッビング法やバス法といった磨き方が知られている。このような磨き方では、あまり力を入れずにブラシ部の先端の毛先を歯面に押し当てた状態でも、歯面に対してできるだけ大きな接触面積を確保できるようにすることが望ましい。
【０００５】
また、例えば、前歯を綺麗に見せるために着色除去性能に優れた歯磨き剤が種々開発されており、これらの歯磨き剤を用いて着色除去を目的とした歯の手入れを行う場合には、前歯の歯面の歯間部から平滑部に亘って、相当の接触面積でブラシ部の先端の毛先を押し当てた状態を保持して、効率良く前歯のブラッシングを行えるようにすることが望ましい。
【０００６】
本発明は、奥歯と奥歯の歯間を磨きやすくするとともに、前歯に対してブラッシングを行う際に、あまり力を入れずに、歯間部から平滑部に亘って相当の接触面積でブラシ部の先端の毛先を押し当てた状態を保持して、効率良くブラッシングを行うことのできる歯ブラシを提供することを目的とする。
【課題を解決するための手段】
【０００７】
本発明は、植毛台に植毛された複数の毛束からなるブラシ部を有する歯ブラシであって、該ブラシ部を側面から見たときに、毛束の先端を結んだ稜線が、ブラシ部の長手方向の先端部分に配置される小山部と、谷底部を挟んで前記小山部の後方に連続し、前記小山部よりもブラシ部の長手方向長さの長い大山部とを含む形状を備え、前記大山部は、前記小山部との間の谷底部から頂部まで植毛台からの高さが徐々に高く形成され、前記小山部の頂部の植毛台からの高さは、前記大山部の頂部の植毛台からの高さよりも高く、前記小山部の頂部と前記大山部の頂部とを結んだ線分の長さが４．３〜９．２ｍｍで、前記谷底部から前記小山部の頂部と前記大山部の頂部とを結んだ線分に降ろした垂線の長さが０．８〜１．６ｍｍである歯ブラシを提供することにより、上記目的を達成したものである。
【発明の効果】
【０００８】
本発明の歯ブラシによれば、歯間部を効率よく磨くことを可能にしつつ、前歯に対してブラッシングを行う際に、あまり力を入れずに、歯間部から平滑部に亘って相当の接触面積でブラシ部の先端の毛先を押し当てた状態を保持して、効率良くブラッシングを行うことができる。
【発明を実施するための最良の形態】
【０００９】
本発明の好ましい一実施形態に係る歯ブラシ１０は、図１（ａ），（ｂ）に示すように、把持部（図示せず）と植毛台１１とこれらの間に位置する首部１２とからなる。歯ブラシ１０は、歯ブラシ本体の植毛台１１に形成した複数の植毛穴１３（１３ａ，１３ｂ）に、複数本のブリッスル１４（１４ａ、１４ｂ）を束ねてなる毛束（タフト）１５（１５ａ，１５ｂ）を各々植毛（植設）することによって構成される。ここで、本実施形態によれば、第１植毛穴１３ａは、例えば直径が１〜２．５ｍｍの大きな直径の円形の植毛穴となっており、この第１植毛穴１３ａには、ひし形断面ブリッスル１４ａを束ねたひし形毛束１５ａが植設されている。また、第２植毛穴１３ｂは、例えば直径が１〜２．０ｍｍの、第１植毛穴１３ａと同じ、好ましくは第１植毛孔１３ａと比較して小さな直径の円形の植毛穴となっており、この第２植毛穴１３ｂには、円形断面ブリッスル１４ｂを束ねた円形毛束１５ｂが植設されている。
【００１０】
そして、本実施形態の歯ブラシ１０は、複数の毛束１５ａ，１５ｂからなるブラシ部１６を有し、ブラシ部１６を側面から見たときに、毛束１５ａ，１５ｂの先端（歯ブラシ１０の短手方向Ｙで最も高い毛束の先端）を結んだ稜線ｓが、ブラシ部１６の長手方向Ｘの先端部分に配置される小山部１７と、谷底部１９を挟んで小山部１７の後方に連続し、小山部１７よりもブラシ部１６の長手方向Ｘの長さＬ２が大きな大山部１８とを含んだ形状を備えている。ここで、小山部１７と大山部１８の間の谷底部１９とは、稜線ｓが描く小山部１７と大山部１８の間の最も低い位置を意味する。そして、大山部１８は、谷底部１９から当該大山部１８の頂部１８ａまで植毛台１１からの高さが徐々に高くなっている。また、大山部１８の稜線１８ｂは、谷底部１９と大山部１８の頂部１８ａとを結んだ直線の植毛台１１の表面に対する傾きが、小山部１７の稜線１７ｂの谷底部１９と小山部１７の頂部１７ａとを結んだ直線の植毛台１１の表面に対する傾きよりも小さくなっている。
【００１１】
本実施形態の歯ブラシ１０は、小山部１７の頂部１７ａの植毛台１１からの高さが、大山部１８の頂部１８ａの植毛台１１からの高さよりも高く、小山部１７の頂部１７ａと大山部１８の頂部１８ａとを結んだ線分Ｌの長さが４．３〜９．２ｍｍとなっており、谷底部１９から小山部１７の頂部１７ａと大山部１８の頂部１８ａとを結んだ線分Ｌに降ろした垂線Ｄの長さが０．８〜１．６ｍｍとなっている。
【００１２】
また、本実施形態では、毛束１５ａ，１５ｂの先端を結んだ稜線ｓは、大山部１８の後方に谷底部２０を挟んで連続し、小山部１７と略対称形状の後方小山部２１を含んだ形状を備えている。
【００１３】
本実施形態では、歯ブラシ本体は、例えばポリプロピレン、ポリエステル、ＡＢＳ樹脂（アクリロニトリルブタジエンスチレン共重合体）等の合成樹脂からなり、その植毛台１１の平坦な表面には、長手方向Ｘの先端部分に３箇所の第１植毛穴１３ａが開口形成され、これらの第１植毛穴１３ａの後方部分には、ブラシ部１６の巾方向Ｙに３列、合計８箇所の第２植毛穴１３ｂが開口形成されている。またこれらの第２植毛穴１３ｂの後方部分には、ブラシ部１６の巾方向Ｙに１列、２箇所の第１植毛穴１３ａが開口形成されており、さらにこれらの第１植毛穴１３ａの後方部分には、ブラシ部１６の巾方向Ｙに２列、合計６箇所の第２植毛穴１３ｂが開口形成されている。そして、これらの第２植毛穴１３ｂの後方部分には、ブラシ部１６の長手方向Ｘの後端部分に位置して、ブラシ部１６の巾方向Ｙに１列、２箇所の第１植毛穴１３ａが開口形成されている。
【００１４】
これらの植毛穴１３ａ，１３ｂは、各々が１．５〜４．５ｍｍ程度の深さを有しており、各植毛穴１３ａ，１３ｂには、ひし形毛束１５ａ、或いは円形毛束１５ｂが、平線を打ち込む方法や熱で融着させる方法等によって、植毛台１１の表面から７〜１５ｍｍの毛丈で植設されている。先端部分の３箇所の第１植毛穴１３ａには、ひし形毛束１５ａが植設されている。そして、これらのひし形毛束１５ａの後方の８箇所の第２植毛穴１３ｂには、円形毛束１５ｂが植設され、その後方の２箇所の第１植毛穴１３ａにひし形毛束１５ａ、さらにその後方の６箇所の第２植毛穴１３ｂに円形毛束１５ｂ、その後方の２箇所の第１植毛穴１３ａにひし形毛束１５ａが植設され、これがブラシ部１６の後端に位置する。
【００１５】
なお、本実施形態において、ひし形毛束１５ａとは全ブリッスル中の８０〜１００％がひし形断面ブリッスルとなっている毛束であり、円形毛束１５ｂとは円形又は６角形以上の正多角形断面ブリッスルからなる毛束である。
【００１６】
上述のようにして、ひし形毛束１５ａ、及び円形毛束１５ｂが歯ブラシ１０の植毛台１１に植設されることにより、ひし形毛束１５ａは、面積比で、ブラシ部１６を構成する全毛束１５ａ，１５ｂの面積の総和の２５〜７５％の面積を占めている。ここで、各毛束１５ａ，１５ｂの面積は、各毛束１５ａ，１５ｂの根本部における断面積に相当し、これらが植設される第１植毛穴１３ａ、第２植毛穴１３ｂの開口面積を介して計算されるものである。本実施形態によれば、ひし形毛束１５ａは、ブラシ部１６を構成する複数の毛束１５ａ，１５ｂ内に面積比で２５〜５０％含まれていることが好ましく、３０〜４５％含まれていることがさらに好ましい。ひし形毛束１５ａが全毛束１５ａ，１５ｂ内に面積比で２５〜７５％含まれていることにより、歯垢除去に有効であるという利点が得られる。
【００１７】
ひし形毛束１５ａを構成するひし形断面ブリッスル１４ａは、ナイロン等の合成樹脂からなるフィラメント材であって、図３（ａ）に示すように、ひし形或いはひし形に近似する平行四辺形の断面形状を備えている。また、ひし形断面ブリッスル１４ａは、その毛径として、例えば断面二次半径の２倍が、６〜１０ｍｉｌ（０．１５〜０．２５ｍｍ）の太さを有し、これを例えば十数本〜数十本束ねることによって、上述の第１植毛穴１３ａの開口形状に相当し、例えば１．０〜２．５ｍｍの束径のひし形毛束１５ａが形成される。
【００１８】
ここで、ひし形断面ブリッスル１４ａの断面形状は、ひし形又は平行四辺形形状の２本の対角線において、短い対角線に対する長い対角線の比（長い対角線／短い対角線）が１．２〜１．９となっていることが好ましい。短い対角線に対する長い対角線の比が１．２〜１．９となっていることにより、ブリッスルが歯間部位に入りやすくなると共に歯面の平滑部に対するブリッスルの接触面積が大きくなる利点が得られる。また、ひし形毛束１５ａは、当該毛束１５ａを構成するブリッスル中にひし形断面ブリッスル１４ａが８０〜１００％含まれていれば、ひし形毛束１５ａとしての機能を十分に発揮することが可能になる。なお、本実施形態によれば、各ひし形断面ブリッスル１４ａの先端の毛先には、ラウンド加工が施されている他、テーパー形状に加工することもできる。
【００１９】
円形毛束１５ｂを構成する円形断面ブリッスル１４ｂは、ナイロン等の合成樹脂や、豚毛などの天然素材からなるフィラメント材であって、図３（ｂ）に示すように、円形断面或いは６角形以上の正多角形断面を有している。また、円形断面ブリッスル１４ｂは、その毛径として、直径が例えば６〜１０ｍｉｌ（０．１５〜０．２５ｍｍ）の太さを有しており、これを例えば十数本〜数十本束ねることによって、上述の第２植毛穴１３ｂの開口形状に相当する、例えば１．０〜２．０ｍｍの束径の円形毛束１５ｂが形成されることになる。また、本実施形態によれば、各円形断面ブリッスル１４ｂの先端の毛先には、例えばラウンド加工を施すことができる他、テーパー形状や球状等に加工することもできる。
【００２０】
そして、本実施形態の歯ブラシ１０によれば、図１（ｂ）及び図２に示すように、ブラシ部１６を側面から見たときに、毛束１５ａ，１５ｂの先端（ブラシ部１６の短手方向Ｙにおいて植毛台１１からの高さが最も高い先端）を結んだ稜線ｓが、ブラシ部１６の長手方向Ｘの先端部分に配置される小山部１７と、谷底部１９を挟んで小山部１７の後方に連続する大山部１８とを含む形状を備え、大山部１８は、小山部１７よりブラシ部１６の長手方向Ｘの長さＬ２が長く、稜線１８ｂの植毛台１１表面に対する傾きが小山部１７よりも小さくなっている。また、本実施形態によれば、ブラシ部１６は、その巾方向Ｙ（ブラシ部１６の短手方向）に沿った各列の毛束１５ａ，１５ｂの先端による稜線が凹凸を成すものであっても良いが、毛束１５ａ，１５ｂの先端を同じ高さとして、巾方向Ｙに各列の毛束の先端を結んだ稜線を概ね水平に形成することが効率的なブラッシングの観点から好ましい。ここで、巾方向Yに各列の毛束の先端を結んだ稜線が概ね水平にある場合は、毛束を構成するブリッスル又は各毛束の高さの差があっても、当該差が０．３ｍｍの範囲内、好ましくは０．１ｍｍの範囲内にある。また、側面から見た稜線ｓが、中央の大山部１８を挟んだ両側に、谷底部１９，２０を介して先端に小山部１７、後端に後方小山部２１が連続する、大山部１８の中央を中心として略対称な形状を備えることが好ましい。
【００２１】
また、本実施形態では、小山部１７の頂部１７ａを挟んだ両側の稜線１７ｂは外側に凸の湾曲形状であって、曲率半径が２．０〜４．０ｍｍとなっていると共に、後方小山部２１の頂部２１ａを挟んだ両側の稜線２１ｂもまた外側に凸の湾曲形状であって、曲率半径が２．０〜４．５ｍｍとなっている。そして、大山部１８の稜線１８ｂも外側に凸の湾曲形状であって、小山部１７と後方小山部２１の稜線１７ｂ，２１ｂよりも曲率半径が大きく、曲率半径が１０〜２５ｍｍとなっている。
【００２２】
さらに、本実施形態では、小山部１７の頂部１７ａの植毛台１１からの高さが、大山部１８の頂部１８ａの植毛台１１からの高さよりも高く、好ましくは０．２〜２．０ｍｍ、さらに好ましくは０．３〜０．７ｍｍ高い。小山部１７の頂部１７ａの植毛台１１からの高さが、大山部１８の頂部１８ａの植毛台１１からの高さよりも０．２〜２．０ｍｍ高くなっていることにより、小山部１７を歯間に入れた状態で大山部１８の歯面の平滑部への接触面積を大きくすることができる。
【００２３】
そして、本実施形態では、小山部１７の頂部１７ａと大山部１８の頂部１８ａとを結んだ線分Ｌの長さが４．３〜９．２ｍｍとなっており、５．０〜７．８ｍｍとすることがさらに好ましい。この線分Ｌの長さを４．３〜９．２ｍｍとすることにより、小山部１７を歯間に入れた状態で大山部１８の歯面の平滑部への接触面積を大きくすることができる。.
【００２４】
また、谷底部１９から小山部１７の頂部１７ａと大山部１８の頂部１８ａとを結んだ線分Ｌに降ろした垂線Ｄの長さは、０．８〜１．６ｍｍとすることが好ましく、０．９〜１．３ｍｍとすることがさらに好ましい。谷底部１９から線分Ｌに降ろした垂線Ｄの長さを０．８〜１．６ｍｍとすることにより、小山部１７を歯間に入れた状態で、大山部１８が歯面の平滑部に接触しやすくなり、特に前歯の歯面への接触面積を大きくすることができる。.
【００２５】
さらに、本実施形態では、小山部１７のブラシ部１６の長手方向Ｘの長さＬ１は、４．０〜４．７ｍｍであることが好ましく、４．３〜４．７ｍｍであることがさらに好ましい。小山部１７の長手方向Ｘの長さＬ１が、４．０〜４．７ｍｍとなっていることにより、小山部１７を歯間に入れた状態で、小山部１７の山裾部の領域が歯面の平滑部に当たりにくくなり、谷底部１９が歯面の歯間部に続く角部に位置しやすくなり、大山部１８の平滑部への接触面積を大きくすることができる。
【００２６】
さらに、本実施形態では、大山部１８のブラシ部１６の長手方向Ｘの長さＬ２は、５．８〜１０．５ｍｍとなっていることが好ましい。大山部１８の長手方向Ｘの長さＬ２が、５．８〜１０．５ｍｍとなっていることにより、大山部１８を構成する毛束の先端による稜線１８ｂは、植毛台１１からの高さが谷底部１９から頂部１８ａに徐々に高く形成され、小山部１７を歯間に入れた状態で大山部１８の歯面の平滑部への接触面積を大きくすることができる。
【００２７】
そして、上述の構成を備える本実施形態の歯ブラシ１０によれば、小山部１７によって歯間を効率良くブラッシングできると共に、大山部１８によって歯面を効率よくブラッシング可能とし、特に前歯に対してブラッシングを行う際に、あまり力を入れずに、歯面の歯間部から平滑部に亘って相当の接触面積でブラシ部１６の先端の毛先を押し当てた状態を保持して、効率良くブラッシングを行うことが可能になる。
【００２８】
すなわち、本実施形態によれば、毛束１５ａ，１５ｂの先端を結んだ稜線ｓが、植毛台１１の先端部分に配置される小山部１７の稜線１７ｂと、谷底部１９を挟んで小山部１７の後方に連続し、小山部１７よりもブラシ部１６の長手方向長さの長い大山部１８の稜線１８ｂとを含んだ形状を備えており、且つ小山部１７の頂部１７ａが大山部１８の頂部１８ａよりも高く、小山部１７の頂部１７ａと大山部１８の頂部１８ａとを結んだ線分Ｌの長さが４．３〜９．２ｍｍ、谷底部１９から線分Ｌに降ろした垂線Ｄの長さが０．８〜１．６ｍｍとなっている。したがって、小山部１７によって歯間を効率よくブラッシングできるとともに、図４に示すように、ブラシ部１６の先端の毛先を歯面に押し当てながら、小さく細かな振動を与えてスクラッビング法やバス法によって前歯２２のブラッシングを行う際に、小山部１７の頂部１７ａを前歯２２の歯間部２２ａに挿入すれば、小山部１７と大山部１８との間の谷底部１９が、前歯２２の平滑部２２ｂの角部分に近接して配置されると共に、大山部１８の稜線１８ｂを形成する毛束の毛先が前歯２２の平滑部２２ｂの広い領域に亘って当接することになるので、前歯２２の歯間部２２ａと平滑部２２ｂとを、同時に広い範囲に亘って効率良くブラッシングすることが可能になる。
【００２９】
また、本実施形態によれば、毛束１５ａ，１５ｂの先端を結んだ稜線ｓが、大山部１８の後方に小山部１７と略対称形状の後方小山部２１を含んだ形状となっているので、前歯２２に対する歯ブラシ本体のブラッシング角度を換えて、後方小山部２１の頂部２１ａを歯間に挿入可能とし、さらに、後方小山部２１を前歯２２の歯間部２２ａに挿入すれば、後方小山部２１と大山部１８との間の谷底部２０が、前歯２２の平滑部２２ｂの角部分に近接して配置されると共に、大山部１８の稜線１８ｂを形成する毛束の毛先が前歯２２の平滑部２２ｂの広い領域に亘って当接することになるので、上述と同様に、前歯２２の歯間部２２ａと平滑部２２ｂとを、同時に広い範囲に亘って効率良くブラッシングすることが可能になる。
【００３０】
さらに、本実施形態によれば、小山部１７の稜線１７ｂと大山部１８の稜線１８ｂとが湾曲凸面となっているので、小山部１７を構成する毛束の先端は歯間部２２ａにおける歯面に当接しやすくなり、大山部１８の稜線１８ｂを構成する毛束の先端は、前歯２２の平滑部２２ｂに当接する面積を増やすことができる。
【００３１】
図５（ａ），（ｂ）は、本発明の好ましい他の実施形態に係る歯ブラシ３０を示すものである。図５（ａ），（ｂ）に示す歯ブラシ３０では、植毛台１１の巾方向Ｙの長さが、後端側から先端に向けて徐々に小さくなった先細形状に形成され、植毛穴１３ａ、１３ｂの数が歯ブラシ１０よりも少ない。また、歯ブラシ３０は、ひし形毛束１５ａが植設される第１植毛穴１３ａ、及び円形毛束１５ｂが植設され第２植毛穴１３ｂは、１．７〜２．５ｍｍの同じ内径で形成されている。そして、植毛台１１の長手方向Ｘの先端部分の３箇所の第１植毛穴１３ａには、ひし形毛束１５ａが植設されている。これらのひし形毛束１５ａの後方の、３列合計１５箇所の第１植毛穴１３ａや第２植毛穴１３ｂには、中央列の先端側から１番目、３番目、及び４番目の第１植毛穴１３ａにひし形毛束１５ａが植設されており、その他の１２箇所の第２植毛穴１３ｂに円形毛束１５ｂが植設されている。
【００３２】
さらに、図５（ａ），（ｂ）に示す歯ブラシ３０では、毛束１５ａ，１５ｂの先端（短手方向Ｙにおいて植毛台１１から最も高い毛束の先端）を結んだ稜線ｓが、植毛台１１の先端部分に配置される小山部１７と、小山部１７の後方に連続する稜線１８ｂを構成する大山部１８とを含んだ形状を備えている。そして、大山部１８の稜線１８ｂは、小山部１７よりも谷底部１９から頂部１８ａまでの傾きが小さく形成されている。さらに、小山部１７の頂部１７ａは大山部１８の頂部１８ａよりも高くなっており、小山部１７の頂部１７ａと大山部１８の頂部１８ａとを結んだ線分Ｌの長さが４．３〜９．２ｍｍ、谷底部１９から線分Ｌに降ろした垂線Ｄの長さが０．８〜１．６ｍｍとなっている。このような構成を有することにより、図５（ａ），（ｂ）に示す歯ブラシ３０は、上記実施形態の歯ブラシ１０と同様の作用効果を奏することになる。
【００３３】
なお、本発明は、上記各実施形態に限定されることなく種々の変更が可能である。例えば、小山部や大山部の稜線は湾曲形状となっている必要は必ずしもなく、直線状の山型となっていても、頂点を挟んで一方側のみ直線状となっていても良い。また、大山部の後方に先端側の小山部と概ね対称形状の後方小山部が設けられている必要は必ずしも無く、後方小山部は、省略されていても、小山部と非対称の形状であっても良い。さらに、ブラシ部を構成する複数の毛束にひし形毛束が含まれている必要は必ずしもない。
【実施例】
【００３４】
以下、実施例及び比較例により、本発明の歯ブラシをさらに詳細に説明するが、本発明はこれらに限定されるものではない。
【００３５】
〔実施例１，２〕
上記実施形態の歯ブラシ１０と同様の構成を有する歯ブラシを実施例１の歯ブラシとした。上記他の実施形態の歯ブラシ３０と同様の構成を有する歯ブラシを実施例２の歯ブラシとした。実施例１，２の歯ブラシについて、小山部の頂部と大山部の頂部とを結んだ線分Ｌを計測すると共に、谷底部から線分Ｌに降ろした垂線Ｄの長さを計測した。また、実施例１の歯ブラシのブラシ部の先端の毛先を、約２００ｇの刷掃圧力で、図６（ａ）に示すような状態で額模型モデルの前歯の部分に押し当てた際の、歯ブラシの側面視で歯の平滑面への当該平滑面に沿った毛先の接触長さを測定した。さらに、実施例２の歯ブラシのブラシ部先端の毛先を、約２００ｇの刷掃圧力で、図６（ｂ）に示すような状態で額模型モデルの前歯の部分に押し当てた際の、歯ブラシの側面視で歯の平滑面への当該平滑面に沿った毛先の接触長さを測定した。計測した線分Ｌ及び垂線Ｄの長さ、及び測定した接触長さを各々表１に示す。
【００３６】
【表１】
0005160955.tif 000002
【００３７】
〔比較例１〜４〕
図７（ａ）のようなブラシ部を側面から見た形状を有する市販品Ａを比較例１の歯ブラシとした。図８（ａ）のようなブラシ部を側面から見た形状を有する市販品Ｂを比較例２の歯ブラシとした。図９（ａ）のようなブラシ部を側面から見た形状を有する市販品Ｃを比較例３の歯ブラシとした。図１０（ａ）のようなブラシ部を側面から見た形状を有する市販品Ｄを比較例４の歯ブラシとした。
【００３８】
比較例１〜４の各歯ブラシについて、ブラシ部の先端の山部の頂部とこれに後続する山部の頂部とを結んだ線分Ｌを測定すると共に、これらの山部間の谷底部から線分Ｌに降ろした垂線Ｄの長さを測定した。測定結果を表１に示す.
【００３９】
比較例１〜４についても、歯ブラシのブラシ部の先端の毛先を、約２００ｇの刷掃圧力で、各々図７（ｂ）、図８（ｂ）、図９（ｂ）、図１０（ｂ）に示す状態で額模型モデルの前歯部分に押し当てた際の、歯ブラシの側面視で歯の平滑面への当該平滑面に沿った毛束の接触長さを計測した。
【００４０】
比較例１〜４の各歯ブラシについて、上記モデルにおいてブラシ部先端の毛先が前歯の平滑面に接触した長さの計測結果を表１に示す。
【００４１】
図６（ａ）、図６（ｂ）、図７（ｂ）、図８（ｂ）、図９（ｂ）、図１０（ｂ）に示す、実施例１，２及び比較例１〜４の歯ブラシの、ブラシ部の前歯の平滑面への接触状況、及び表１に示す接触長さの計測結果によれば、本発明にかかる実施例１，２の歯ブラシは、歯面の歯間部から平滑部に亘って前歯の平滑部との間に大きな空隙を生じることなく、比較例１〜４の歯ブラシと比較して、前歯の歯面の平滑部と相当の大きさの接触領域を保持できることが判明した。
【００４２】
〔比較例５、実施例３〕
比較例５の歯ブラシを図１１に、実施例３の歯ブラシを図１２に示す。比較例５、実施例３の歯ブラシは、図１１（ａ）、図１２（ａ）に示すように、実施例１と同じように植毛台１１に植毛穴１３ａ、１３ｂが開口形成されている。比較例５の歯ブラシは、実施例１と同じように第１植毛穴１３ａにはひし形毛束１５ａが植設され、第２植毛穴１３ｂには円形毛束１５ｂが植設されているが、図１１（ｂ）に示すように、ブラシ部を側面からみた形状は、毛束１５ａ、１５ｂの植毛台からの高さが概ね均一で平切り形状である。実施例３の歯ブラシは、図１２（ｂ）に示すように、ブラシ部側面からみた形状は実施例１の歯ブラシと同じであるが、図１２（ａ）に示すように、植毛穴１３ａと植毛穴１３ｂのいずれにもひし形毛束１５ａが植設されている。尚、比較例５、実施例３の植毛穴１３ａの径は１．８ｍｍ、植毛穴１３ｂの径は１．６ｍｍで形成されている。
また、以下の歯垢又は汚れ除去の評価、使用感の評価において、実施例１の歯ブラシは、植毛穴１３ａの径を１．８ｍｍ、植毛穴１３ｂの径を１．６ｍｍのものを用いた。
そして、実施例１、実施例３、比較例５の歯ブラシの最も外周側にある植毛穴の外縁を結んだ植毛総面積は、１３７．４ｍｍ2であって、植毛穴の面積の総和は４５．９ｍｍ2であった。
【００４３】
実施例１、３及び比較例５の歯ブラシを用いて、歯垢又は汚れ除去効果を評価するために、以下の評価モデルにより評価した。歯垢または汚れ除去の評価モデルを以下に示す。
（方法）
（１）図１３（ａ）に示すように、角部にＲ（曲率半径）が２．５ｍｍの曲面を備える角型のアルミブロックの曲面同士を向き合わせて並置した歯モデルを作成する。
（２）（１）の歯モデルの歯面の歯垢又は着色汚れモデルとして、ビデオテープ（西友プライベートブランドの「Ｓ‘ＲＩＢＢＯＮ」スタンダードタイプ（１２０分、型番３Ｔ１２０ＳＲ））を取り付け、これをビデオテープ磁性層とする。
（３）作成した着色汚れモデルを取り付けた歯モデル（アルミブロック）を試験台に装着し、ブラッシングマシーンを用い、各歯ブラシによる刷掃を行う（図１３（ａ））。
（４）刷掃条件は、荷重３００ｇ、振幅３０ｍｍ、速度１２０ｒｐｍ、刷掃回数１２０（往復）として、歯磨剤０．５ｇ（クリアクリーンプラスホワイトニング（花王製））を使用した。
（５）歯モデルの評価領域は、図１３（ｂ）に示すように、歯間部（アルミブロックのＲが形成された領域）を除く歯間部を挟んだ両側の平滑面の領域とし、この評価領域においてビデオテープ磁性層の磁性層が剥がれてテープのベースが露出した（白くなった）部分の面積（ｍｍ2）を画像解析により算出し、汚れ除去面積とした。
【００４４】
（結果）
実施例１、３、比較例５の歯ブラシについて行った汚れ除去効果の評価結果を表２に示す。表２には、各歯ブラシの評価モデルによる刷掃後の磁性層の写真と、汚れ除去面積、及び比較例５の歯ブラシによる汚れ除去面積を１００％としたときの、実施例１、３の歯ブラシによる汚れ除去面積の相対評価を示した。さらに、表２には、女性３名の被験者による使用感も併せて示した。
【００４５】
【表２】
0005160955.tif 000003
【００４６】
表２から明らかなように、比較例５の平切りの歯ブラシでは、歯間に歯ブラシが届き難いだけでなく、汚れ除去面積も小さく、同じ高さの毛束が全体として歯面、特に平滑部に突っ張るため、使用感はやや硬い磨き心地という評価であった。
実施例１、３のように本願発明の毛束先端の稜線形状を備える歯ブラシでは、比較例５のような毛束の高さが概ね均一な平切り形状に比べて、実施例１は約２．４倍、実施例３は約１．８倍の高い汚れ除去面積の結果が得られた。一方、実施例３のように、毛束の全てがひし形毛束である歯ブラシでは、汚れ除去面積は大きいが、実施例１に比べて剛性感があり、使用感では毛先が硬く感じられる評価であった。従って、実施例１は、実施例３よりもさらに歯垢又は汚れ除去の効果が高く、使用感においても高い評価を得た。
【図面の簡単な説明】
【００４７】
【図１】本発明の好ましい一実施形態に係る歯ブラシの要部の構成を説明する、（ａ）は平面図、（ｂ）は側面図である。
【図２】本発明の好ましい一実施形態に係る歯ブラシのブラシ部の先端部分の拡大側面図である。
【図３】（ａ）はひし形断面ブリッスルの説明図、（ｂ）は円形断面ブリッスルの説明図である。
【図４】本発明の好ましい一実施形態に係る歯ブラシを用いて前歯をブラッシングする状況の説明図である。
【図５】本発明の好ましい他の実施形態に係る歯ブラシの要部の構成を説明する、（ａ）は平面図、（ｂ）は側面図である。
【図６】（ａ）は実施例１の歯ブラシを用いて前歯をブラッシングする状況の説明図、（ｂ）は実施例２の歯ブラシを用いて前歯をブラッシングする状況の説明図である。
【図７】（ａ）は比較例１の歯ブラシのブラシ部の側面図、（ｂ）は比較例１の歯ブラシを用いて前歯をブラッシングする状況の説明図である。
【図８】（ａ）は比較例２の歯ブラシのブラシ部の側面図、（ｂ）は比較例２の歯ブラシを用いて前歯をブラッシングする状況の説明図である。
【図９】（ａ）は比較例３の歯ブラシのブラシ部の側面図、（ｂ）は比較例３の歯ブラシを用いて前歯をブラッシングする状況の説明図である。
【図１０】（ａ）は比較例４の歯ブラシのブラシ部の側面図、（ｂ）は比較例４の歯ブラシを用いて前歯をブラッシングする状況の説明図である。
【図１１】（ａ）は比較例５の歯ブラシのブラシ部の平面図、（ｂ）は側面図である。
【図１２】（ａ）は実施例３の歯ブラシのブラシ部の平面図、（ｂ）は側面図である。
【図１３】（ａ）は着色汚れモデルを取り付けた歯モデルの説明図、（ｂ）は歯モデルの評価領域の説明図である。
【符号の説明】
【００４８】
１０，３０  歯ブラシ
１１  植毛台
１２  首部
１３ａ  第１植毛穴
１３ｂ  第２植毛穴
１４ａ  ひし形断面ブリッスル
１４ｂ  円形断面ブリッスル
１５ａ  ひし形毛束
１５ｂ  円形毛束
１６  ブラシ部
１７  小山部
１７ａ  小山部の頂部
１７ｂ  小山部の稜線
１８  大山部
１８ａ  大山部の頂部
１８ｂ  大山部の稜線
１９，２０  谷底部
２１  後方小山部
２１ａ  後方小山部の頂部
２１ｂ  後方小山部の稜線
２２  前歯
２２ａ  前歯の歯面の歯間部
２２ｂ  前歯の歯面の平滑部
ｓ    毛束の先端を結んだ稜線
Ｘ    ブラシ部の長手方向
Ｙ    ブラシ部の巾方向
Ｌ  小山部の頂部と大山部の頂部とを結んだ線分
Ｌ１  小山部のブラシ部長手方向の長さ
Ｌ２  大山部のブラシ部長手方向の長さ
Ｄ  谷底部から線分Ｌに降ろした垂線の長さ
【図１】
0005160955.tif 000004
【図２】
0005160955.tif 000005
【図３】
0005160955.tif 000006
【図４】
0005160955.tif 000007
【図５】
0005160955.tif 000008
【図６】
0005160955.tif 000009
【図７】
0005160955.tif 000010
【図８】
0005160955.tif 000011
【図９】
0005160955.tif 000012
【図１０】
0005160955.tif 000013
【図１１】
0005160955.tif 000014
【図１２】
0005160955.tif 000015
【図１３】
0005160955.tif 000016